(57)【要約】      （修正有）【課題】履物内部から発生した悪臭及び湿気などを迅速に履物外部に排出することができるようにした履物用中敷きを提供すること。【解決手段】合成樹脂製フィルムを高周波接着して固定させた上下板材２と、前記上下板材の間に形成され、履物の着用の時に後側に位置される緩衝圧縮部材が入ったチャンバーと、前記チャンバーと連通され、履物の着用の時に前側に位置されて履物の内部の空気をチャンバーに流入することができる空気流入手段６と、前記チャンバーと連通され、流入された空気を外部に排出することができる空気排出手段８とを備えたこと。【選択図】図１
2009000530.tif 000002
【特許請求の範囲】
【請求項１】
さまざまな履物（５）に入れて使用することができる履物用中敷き（１）において、
前記中敷き（１）は合成樹脂製フィルムを高周波接着して固定させた上下板材（２、３）と、
前記上下板材（２、３）の間に形成され、履物の着用の時、後側に位置される緩衝圧縮部材（１３）が入ったチャンバー（４）と、
前記チャンバー（４）と連通され、履物の着用の時に前側に位置されて履物内部の空気をチャンバー（４）に流入することができる空気流入手段（６）と、
前記チャンバー（４）と連通され、流入された空気を外部に排出することができる空気排出手段（８）とを備えたことを特徴とする履物用中敷き。
【請求項２】
前記空気流入手段（６）はチャンバー（４）から中敷き（１）の前側へ配管される空気流入管（１５）と、
前記空気流入管（１５）に設けられる１、２次フィルター（１２、１４）と、チェック弁（１６）とからなり、
前記空気排出手段（８）はチャンバー（４）から履物（５）の外側へ配管される空気排出管（１７）と、
前記空気排出管（１７）に設けられる騒音遮断部材（９）と、チェック弁（１８）とからなることを特徴とする請求項１記載の履物用中敷き。
【請求項３】
前記空気排出管（１７）には補助空気排出管（１７ａ）を連結して丈が長い履物（５）に使用するようにしたことを特徴とする請求項２記載の履物用中敷き。
【発明の詳細な説明】
【技術分野】
【０００１】
本発明は履物用中敷き(ｉｎ−ｓｏｌｅ)に関するものであって、さらに詳しくは独立した商品として構成される中敷きに履物内部の悪臭及び湿気などを除去することができる排出手段を設け、さまざまな履物に結合、使用するようにして、履物内部の衛生性の向上及び快適な着用感を提供して究極的には足の健康を図ることができるようにした履物用中敷きに関する。
【背景技術】
【０００２】
通常、履物内部には空気が円滑に循環せず、汗などの分泌物による細菌繁殖及び悪臭発生の主要原因となっている。
【０００３】
かかる問題点を改善するため、履物の中底(ｍｉｄ−ｓｏｌｅ)に通気手段を有するさまざまな履物が案出され、かつ使用されているが、前記中底の上には中敷きが配置されて履物を着用かつ使用することになるため、足からの汗などの分泌物による悪臭、湿気などを中底で作動する通気手段によって履物外部に円滑に排出させず、中底は履物の製造の時に履物に固定されて売り出されるので、他の履物を着用しようとする場合は使用が不可能なことなど多くの問題点があった。
【０００４】
具体的には、これまでに履物の底部に、歩行時にかかる体重圧により空気を排出することが可能な空気圧送体を設け、この空気圧送体から排出された空気を靴内部に循環させることにより、靴内の通気性を向上させる履物用中敷きが提案されている（特許文献１）。また、靴内に挿入し、歩行時の動作に連動して、靴内の空気を循環させることができる装置が提案されている（特許文献２）。しかしながら、依然として靴内における細菌の繁殖及び悪臭の発生に関する問題点は十分に改善されていない。
【０００５】
【特許文献１】特開平９−６５９０５号公報
【特許文献２】特開２００４−２７５２０１号公報
【発明の開示】
【発明が解決しようとする課題】
【０００６】
そこで、本発明は上記のような従来の履物用通気手段が有する諸般の問題点を解消できるように新たな履物用中敷きを提供しようとするものであって、 特に履物とは別個の独立化した商品として売り出すことができることから、さまざまな履物に適用することができ、履物内部から発生した悪臭及び湿気などを迅速に履物外部に排出することができるようにした履物用中敷きを提供することを解決課題とする。
【課題を解決するための手段】
【０００７】
前記課題を解決するために、本発明はさまざまな履物（５）に入れて使用することができる履物用中敷き（１）において、前記中敷き（１）は合成樹脂製フィルムを高周波接着して固定させた上下板材（２、３）と、前記上下板材（２、３）の間に形成され、履物の着用時に後側に位置される緩衝圧縮部材（１３）が入ったチャンバー（４）と、前記チャンバー（４）と連通され、履物の着用時に前側に位置されて履物内部の空気をチャンバー（４）に流入することができる空気流入手段（６）と、前記チャンバー（４）と連通され、流入された空気を外部に排出することができる空気排出手段（８）とを備えたことを特徴とする。
【発明の効果】
【０００８】
本発明で提供する履物用中敷き1は独立化した商品として製作することができることから、さまざまな履物５に入れて履物５内部から発生する悪臭及び湿気などを迅速に外部に排出させることができ、これにより履物５の着用の時の着用感を向上させ、足の健康にも大変役立つことができるなど、その期待される効果が多大な発明である。
【発明を実施するための最良の形態】
【０００９】
図１は本発明で提供する履物用中敷き１を示す斜視図で、図２、３は本発明の中敷き１を構成する上下板材２、３を抜粋した平面図などを示したものであって、これら図面とともに本発明を詳細に説明する。
【００１０】
本発明の中敷き１は、上下板材からなる合成樹脂製フィルム(ＰＶＣフィルムなど)の板材２、３の間には、歩行の時発生する踏み力によってチャンバー４を圧縮して履物５の内部の空気を流入することができるようにした空気流入手段６と、履物５の内部の空気を流入する時に異物及びほこりなどを濾すためのフィルター部材７と、流入された空気を履物５の外部に排出するための空気排出手段８と、排出の時に発生する騒音を遮断するための騒音遮断部材９とをそれぞれ設けて、上下板材２、３を金型内部に取り付けた後、高周波接着などの方法で一体化した中敷き１を提供することを特徴とする。
【００１１】
このために前記板材２、３はＥＶＡフィルム、ＰＶＣフィルムのような合成樹脂製フィルムで図２、３のように裁断する。
【００１２】
上部板材２は履物５の号数に応じてその寸法をさまざまに構成するようにし、 板材２の上面部、つまり、使用者の足が接する部分には繊維材などが圧着固定された合成樹脂製フィルムを使用することが 好ましい。
【００１３】
また板材２の前側と後側にはそれぞれ貫通孔１０、１１を形成して下部板材３に設けられるフィルター部材７の中で、１次フィルター１２及びチャンバー４が上下板材２を高周波接着する時、露出できるようにする。
【００１４】
前記下部板材３には前述したように、歩行の時発生する踏み力によってチャンバー４を圧縮して履物５の内部の空気を流入することができるようにした空気流入手段６と、履物５の内部空気を流入する時、異物及びほこりなどを濾すためのフィルター部材７と、流入された空気を履物５の外部に排出するための空気排出手段８と、排出の時発生する騒音を遮断するための騒音遮断部材９とをそれぞれ設けるが、前記チャンバー４の内部にはポリウレタンフォームなどからなる緩衝圧縮部材１３が入れられ、前記チャンバー４と、１、２次フィルター１２、１４は下部板材３の前側から後側へ相互連通するように空気流入管１５で連結される。
【００１５】
前記１次フィルター１２は履物５の内部の空気を流入する時 、大きい異物を濾し、２次フィルター１４は１次フィルター１２で濾されない微細なほこりや異物を濾すことになる。
【００１６】
前記空気流入管１５の後端、つまりチャンバー４と連通される入り口には一方向のみの空気が流入されることができるチェック弁１６が設けられ、履物５の内部の空気がチャンバー４の上に流入できるようにし、前記チャンバー４の一側には空気排出手段８及び騒音遮断部材９が連通される空気排出管１７の上に設けられる。
【００１７】
つまり、前記空気排出管１７の入り口には一方向のみの空気が排出されるチェック弁１８が設けられ、チャンバー４の上に流入された履物５の内部の空気が履物５の外部に排出できるようにし、空気排出管１７の中途には排出される空気により発生され得る騒音が遮断できるように騒音遮断部材９が設けられる。
【００１８】
前記空気排出管１７の端部は履物５外部と連通されるように甲皮の上端部に位置させることが好ましく、図８のように、軍靴、長靴のような丈が長い履物５に本発明の中敷き１を使用する場合には、別途に備えられる補助空気排出管１７ａを前記空気排出管１７に連結して使用するようにする。
【００１９】
前記のように構成される本発明の中敷き１は、さまざまな履物５に結合して履物５の内部で発生する悪臭及び湿気などを迅速に外部に排出させ、履物５の内部を清潔に保持させることによって、足の健康に大変役立つことができ、このような作用などを以下でより詳しく説明する。
【００２０】
中敷き１を履物５の内部に結合させた後、履物５を着用して歩行したら、 歩行者の足が地面に接する時発生する踏み力がチャンバー４の内部の緩衝圧力部材１３を圧縮し、足を地面から離したら、圧縮されていた緩衝圧力部材１３がその自体の復元力により、元に復元される作動を繰り返すが、緩衝圧力部材１３の圧縮の時には、空気排出手段８を構成する空気排出管１７上のチェック弁１８が開放されながらチャンバー４内部の空気が空気排出管１７の騒音遮断部材９を経て履物５の外部に排出され、緩衝圧力部材１３の復元の時には、空気流入手段６を構成する空気流入管１５のチェック弁１６が開放され、履物５内部の前側の(悪臭及び湿気を含む)空気をフィルター部材７を構成する1次フィルター１２及び２次フィルター１４を順次経てチャンバー４の内部に流入させることになる。
【００２１】
前記１次フィルター１２は履物５内部にある各種の異物及びほこりの 中、大きい粒子を先に濾し、２次フィルター１４は1次フィルター１２で濾されない微細なほこりなどを濾して、チェック弁１６がほこりなどによって故障することを防止するようにする。
【００２２】
このように空気流入手段６を介してチャンバー４の内部に流入された空気は、前述のようにチャンバー４内の緩衝圧力部材１３の圧縮の時に空気排出手段８を介して外部に排出され、これにより履物５の内部の前側で汗などの分泌物による悪臭及び湿気などを迅速に外部に排出させ、履物５の着用の時に快適な着用感が保持できる。
【００２３】
さらに前記履物５が軍靴や長靴のように丈が長い場合は、前記空気排出手段８を構成する空気排出管１７の端部に補助空気排出管１７ａを連結して、履物５の上端部に配管させてから使用すればよい。
【００２４】
一方、本発明は、本発明の属する技術の分野における通常の知識を有する者にとって、本発明の技術的思想を外れない範囲内で、いろんな置換変形及び変更が可能なものであって、勿論、前述の図面と構成の説明上に示した実施例に限るものではない。
【図面の簡単な説明】
【００２５】
【図１】は本発明で提供する履物用中敷きの好ましい一実施例を示した斜視図。
【図２】は本発明で提供する履物用中敷きを構成する上部板材を示した平面構成図。
【図３】は本発明で提供する履物用中敷きを構成する下部板材を示した平面構成図。
【図４】は本発明で提供する履物用中敷きの正面構成図。
【図５】は本発明で提供する履物用中敷きの上下板材を分解した斜視図。
【図６】は本発明で提供する履物用中敷きに補助空気排出管を使用する場合を示した斜視図。
【図７】は本発明で提供する履物用中敷きの一使用状態を示した断面図。
【図８】は本発明で提供する履物用中敷きの他の使用状態を示した断面図。
【符号の説明】
【００２６】
１  中敷き
２、３  （上下）板材
４  チャンバー    
５  履物
６  空気流入手段
７  フィルター部材
８  空気排出手段
９  騒音遮断部材
１０、１１  貫通孔
１２  １次フィルター  
１３  緩衝圧縮部材  
１４  ２次フィルター  
１５  空気流入管
１６  チェック弁
１７  空気排出管
１７a  補助空気排出管
１８  チェック弁
【図１】
2009000530.tif 000003
【図２】
2009000530.tif 000004
【図３】
2009000530.tif 000005
【図４】
2009000530.tif 000006
【図５】
2009000530.tif 000007
【図６】
2009000530.tif 000008
【図７】
2009000530.tif 000009
【図８】
2009000530.tif 000010